(57)【要約】      （修正有）【課題】ＨＤＭＩ信号の伝送時の減衰を補償する中継機能を有する信号変換ボックス。【解決手段】ケーシング１および該ケーシング内に収容され、ＨＤＭＩ信号を受けて信号の補償および増幅処理を行ない、ＲＪジャック２３に伝送する電気モジュール２から構成される。ケーシング１の一側にはＨＤＭＩプラグが挿入される第１の開口１３が設けられ、他側にはＲＪプラグが挿入される第２の開口１４が設けられる。ケーシング１内の収容空間１０にはＨＤＭＩ信号を受けて信号の補償および増幅処理を行う電気モジュール２が設けられ、電気モジュール２の回路板２１には第１の開口１３に対応するＨＤＭＩジャック２２および第２の開口１４に対応するＲＪジャック２３が設けられ、ＨＤＭＩ信号を変換してＲＪプラグ付きネットワークケーブルで伝送する。【選択図】図２
0003141444.tif 000002
【実用新案登録請求の範囲】
【請求項１】
ケーシングおよびＨＤＭＩ信号を受けて信号の補償および増幅処理を行う電気モジュールから構成され、
前記ケーシングは、ベース台および蓋体から構成され、前記ベース台と蓋体との間には電気モジュール収容空間が形成され、前記ケーシング一側にはＨＤＭＩプラグが挿入される第１の開口が設けられ、他側にはＲＪプラグが挿入される第２の開口が設けられ、
前記電気モジュールには回路板が設けられ、前記回路板の一側には少なくとも一つ以上の前記ケーシングの第１の開口に対応するＨＤＭＩジャックが設けられ、他側には少なくとも一つ以上の前記ケーシングの第２の開口に対応するＲＪジャックが設けられることを特徴とする信号変換ボックス。
【請求項２】
前記ケーシングは、透光材料から製造されることを特徴とする請求項１記載の信号変換ボックス。
【請求項３】
前記ケーシングの蓋体は、透光材料から製造されることを特徴とする請求項１記載の信号変換ボックス。
【請求項４】
前記ケーシングのベース台と前記蓋体との間に収容される回路板上には、少なくとも一つ以上の信号の補償および増幅処理を行なうチップが設けられることを特徴とする請求項１記載の信号変換ボックス。
【請求項５】
前記回路板のチップには、少なくとも一つ以上の信号の伝送状態を表示する発光部材が設けられることを特徴とする請求項４記載の信号変換ボックス。
【請求項６】
前記ケーシングの側壁上には、予め設けられた電源プラグが挿入される第３の開口が設けられ、前記回路板のチップには前記電気モジュールの運転に必要な電源を供給し、前記第３の開口に対応する電源コネクタが電気的に接続されることを特徴とする請求項４記載の信号変換ボックス。
【請求項７】
前記ケーシングのベース台には、ねじ穴を有する複数の定位部が設けられ、前記ケーシングの蓋体には前記ねじ穴に対応する螺合孔が設けられ、前記螺合孔内には前記ねじ穴に螺合固定される固定部材が貫設されることを特徴とする請求項１記載の信号変換ボックス。
【請求項８】
前記ケーシングの前後側壁には、第１の開口および第２の開口がそれぞれ設けられることを特徴とする請求項１記載の信号変換ボックス。
【考案の詳細な説明】
【技術分野】
【０００１】
本考案は、信号変換ボックスに関し、特に、ＨＤＭＩ信号を変換し、信号をＲＪプラグ付きネットワークケーブルで伝送し、信号の品質および効果を高めるだけでなく、携帯に便利で、使用会場に合わせて信号伝送ケーブルの敷設位置を変更できる信号変換ボックスに関する。
【背景技術】
【０００２】
ブラウン管を使用した白黒テレビおよびカラーテレビから現在は液晶テレビおよびプラズマテレビへと発展し、テレビは高画質、良好なコントラストおよび高い鮮明度で表示することができるようになり、テレビのチャンネル数も増加した。また、早期から録画装置を利用して放送番組を録画し、再生装置を利用して再生して観賞することが行われていたが、録画テープの体積は大きく、湿気によってカビが発生したりするので、現在は時代の流れから淘汰されている。
【０００３】
研究開発によってＶＣＤ、ＤＶＤなどのディスクが誕生した。ＶＣＤ、ＤＶＤは再生装置により映像を再生するが、ＶＣＤにしてもＤＶＤにしても伝送ケーブルによって映像信号をディスプレイ装置に伝送することによって映像を表示する。初期の映像信号の伝送ケーブルは、ＤＶＩ（Ｄｉｇｉｔａｌ  Ｖｉｄｅｏ  Ｉｎｔｅｒｌｅａｖｅｄ）が使用され、Ｉｎｔｅｌ  ｉ７５０  ＶＬＳＩ（登録商標）によって圧縮／解凍を行う演算法が実行された。ＤＶＩの伝送ケーブルは映像のみを伝送でき、音声は伝送できないので、アンプを組合せる必要があり、ケーブルの設置が面倒であり、不便であった。
【０００４】
上述の従来技術による信号伝送における欠点を解決するために、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）の信号伝送方式が研究開発された。ＨＤＭＩは、Ｉｎｔｅｌ社が２００２年に開発したコピー防止メカニズムであるＨＤＣＰ（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）が使用される。ＨＤＭＩは、単一の全デジタルインターフェースに高解析映像信号および多チャンネル音声信号を整合し、ＳＸＧＡ、ＵＸＧＡ、ＳＤＴＶ、ＨＤＴＶなどのデジタル映像信号規格をサポートするだけでなく、ＣＤ、ＤＶＤ−Ａｕｄｉｏ、Ｄｏｌｂｙ  Ｄｉｇｉｔａｌ／ＤＴＳなどのデジタル音声信号規格を伝送することもでき、同時に８チャンネルの圧縮または非圧縮デジタル音声信号を伝送することができる。ＨＤＭＩは、各原色が最高で４８‐ｂｉｔの色深度を提供でき、その伝送速度は５Ｇｂｐｓに達し、圧縮していない高品質のデジタル信号を伝送することができる。
【０００５】
情報社会となり、展覧会、説明会またはその他の各種のイベントが行なわれているが、一般にこれらのイベントにおいては音声出力装置および大型モニタが使用され、それによる映像音声効果によって来場者を引き付け、また優れた広告効果を有するので多くのユーザーに支持されている。ＨＤＭＩケーブルを使用して信号伝送を行う場合、信号伝送ケーブルおよび設置時間を節約でき、また、映像音声再生の効果が優れるが、ＨＤＭＩケーブルは伝送距離が１０メートルを超える場合信号が減衰し、通常の展示会または説明会などのイベント会場においては再生装置とモニタおよび音声出力装置との距離は１０メートル以上であるために信号が減衰し、映像音声の再生効果が優れないという問題が発生する。
【０００６】
従って、再生装置とモニタとの間をＨＤＭＩケーブルで信号伝送を行うときに信号が減衰する問題を如何に解決するかは当該技術に従事する者にとって改善が望まれることであった。
【０００７】
本考案の考案者は、上述の問題に鑑み、関連資料を収集し、試作および修正を繰り返し、ついに信号伝送時の品質および効果を高め、携帯に便利であり、現場の状況に応じて信号伝送ケーブルの設置位置を変更できる信号変換ボックスを案出した。
【特許文献１】特開２００７−２２１７５１号公報
【特許文献２】特開２００５−７３２２０号公報
【考案の開示】
【考案が解決しようとする課題】
【０００８】
本考案の第１の目的は、ケーシングの一側にＨＤＭＩプラグが挿入される第１の開口が設けられ、他側にはＲＪプラグが挿入される第２の開口が設けられ、ケーシングの収容空間内にはＨＤＭＩ信号を受けて信号の補償および増幅処理を行う電気モジュールが設けられ、電気モジュールの回路板には第１の開口および第２の開口に対応するＨＤＭＩジャックおよびＲＪジャックが設けられた信号変換ボックスを構成し、ＨＤＭＩ信号が信号変換ボックスに入力されて変換された後、ＲＪプラグ付きネットワークケーブルによって信号伝送を行うことにより、ＲＪプラグ付きネットワークケーブルの信号伝送距離はＨＤＭＩケーブルよりも長いので、信号を長距離伝送したときでも減衰しにくく、信号の品質および効果を高めることができる信号変換ボックスを提供することにある。
本考案の第２の目的は、展示場、広場またはその他の場所でイベントを行なうとき、イベント場所によって広さ、地形および位置などの条件が異なるが、信号変換ボックスを使用して信号伝送ケーブルを敷設することによって、信号伝送距離を延長できるだけでなく、各イベント場所の広さ、地形および位置などに対応させて敷設位置を変更することができ、信号伝送ケーブルの敷設作業を迅速且つ簡単に行うことを可能とする、体積が小さく、携帯に便利な信号変換ボックスを提供することにある。
【課題を解決するための手段】
【０００９】
上記課題を解決するために、請求項１の考案は、ケーシングおよび電気モジュールから構成され、ケーシングはベース台および蓋体から構成され、ベース台と蓋体との間には収容空間が形成され、ケーシング一側にはＨＤＭＩプラグが挿入される第１の開口が設けられ、他側にはＲＪプラグが挿入される第２の開口が設けられ、電気モジュールにはケーシングの収容空間内に設置される回路板が設けられ、回路板の一側には少なくとも一つ以上のケーシングの第１の開口に対応するＨＤＭＩジャックが設けられ、他側には少なくとも一つ以上のケーシングの第２の開口に対応するＲＪジャックが設けられることを特徴とする信号変換ボックスである。
【００１０】
請求項２の考案は、ケーシングは、透光材料から製造されることを特徴とする請求項１記載の信号変換ボックスである。
【００１１】
請求項３の考案は、ケーシングの蓋体は、透光材料から製造されることを特徴とする請求項１記載の信号変換ボックスである。
【００１２】
請求項４の考案は、ケーシングのベース台と蓋体との間に収容される回路板上には、少なくとも一つ以上の信号の補償および増幅処理を行なうチップが設けられることを特徴とする請求項１記載の信号変換ボックスである。
【００１３】
請求項５の考案は、回路板のチップには、少なくとも一つ以上の信号の伝送状態を表示する発光部材が設けられることを特徴とする請求項４記載の信号変換ボックスである。
【００１４】
請求項６の考案は、ケーシングの側壁上には、予め設けられた電源プラグが挿入される第３の開口が設けられ、回路板のチップには電気モジュールの運転に必要な電源を供給し、第３の開口に対応する電源コネクタが電気的に接続されることを特徴とする請求項４記載の信号変換ボックスである。
【００１５】
請求項７の考案は、ケーシングのベース台には、ねじ穴を有する複数の定位部が設けられ、ケーシングの蓋体にはねじ穴に対応する螺合孔が設けられ、螺合孔内にはねじ穴に螺合固定される固定部材が貫設されることを特徴とする請求項１記載の信号変換ボックスである。
【００１６】
請求項８の考案は、ケーシングの前後側壁には、第１の開口および第２の開口がそれぞれ設けられることを特徴とする請求項１記載の信号変換ボックスである。
【考案の効果】
【００１７】
本考案の信号変換ボックスは、ケーシングの収容空間内に電気モジュールが設けられ、電気モジュールは回路板の一側に少なくとも一つ以上のＨＤＭＩジャックが設けられ、他側に少なくとも一つ以上のＲＪジャックが設けられ、ＨＤＭＩジャックおよびＲＪジャックはケーシング両側の第１の開口および第２の開口に対応し、読取装置が信号を映像音声再生装置に伝送して再生を行うとき、信号はＨＤＭＩケーブルから信号変換ボックスのＨＤＭＩジャックに入力され、次にＲＪジャックおよびＲＪジャックに電気的に接続されたＲＪプラグ付きネットワークケーブルによって各信号変換ボックス間の信号伝送が行われ、伝送距離が長くなった場合でも、信号は良好な品質および効果を保持することができ、また、携帯に便利で、会場に合わせて信号伝送ケーブルを敷設することができるという長所を有する。
【考案を実施するための最良の形態】
【００１８】
本考案の目的、特徴および効果を示す実施例を図に沿って詳細に説明する。
【００１９】
図１は、本考案の実施例を示す斜視図である。図２は、本考案の実施例を示す分解斜視図である。図３は、本考案の実施例を示す斜視図である。図４は、本考案の実施例を示す断面図である。図から分かるように、本考案の信号変換ボックスは、ケーシング１および電気モジュール２から構成される。
【００２０】
ケーシング１は、ベース台１１および蓋体１２から構成され、ベース台１１と蓋体１２との間には収容空間１０が形成され、ケーシング１の一側には第１の開口１３が設けられ、他側には第２の開口１４が設けられ、ケーシング１の側壁には第３の開口１５が設けられる。
【００２１】
電気モジュール２の回路板２１の一側には少なくとも一つ以上のＨＤＭＩジャック２２が設けられ、他側には少なくとも一つのＲＪジャック２３が設けられ、回路板２１上には、少なくとも一つ以上のチップ２４、チップ２４と電気的に接続される発光部材２５および電源コネクタ２６が設けられ、電源コネクタ２６は回路板２１の側辺に設置される。
【００２２】
上述の各部材を組立てるとき、ケーシング１に設けられたベース台１１と蓋体１２との間の収容空間１０内に電気モジュール２を設置し、電気モジュール２のＨＤＭＩジャック２２、少なくとも一つ以上のＲＪジャック２３および電源コネクタ２６をそれぞれケーシング１の第１の開口１３、第２の開口１４および第３の開口１５に対応させ、ベース台１１と蓋体１２とを固定して組立が完成する。
【００２３】
図２は、本考案の実施例を示す分解斜視図である。図５は、本考案の実施例の使用状態を示す斜視図である。図から分かるように、信号変換ボックスを使用するとき、電源供給装置３の電源プラグ３１をケーシング１の第３の開口１５から挿入し、電源プラグ３１と電気モジュール２の電源コネクタ２６とを電気的に接続し、電源供給装置３によって一般のコンセントからの電力を所定の電圧に変換し、電気モジュール２の作動に必要な電源を供給する。次に、ＨＤＭＩケーブル４のＨＤＭＩプラグ４１をケーシング１の第１の開口１３に挿入し、ＲＪプラグ付きネットワークケーブル５のＲＪプラグ５１をケーシング１の第２の開口１４に挿入し、第１の開口１３内のＨＤＭＩジャック２２と第２の開口１４内の少なくとも一つ以上のＲＪジャック２３とを電気的に接続する。
【００２４】
ＨＤＭＩプラグ４１は、信号を電気モジュール２のＨＤＭＩジャック２２に伝送し、ＨＤＭＩジャック２２は信号を受信した後、信号を少なくとも一つ以上のチップ２４に伝送する。チップ２４は、信号の補償および増幅処理を行ない、その後、信号を電気モジュール２の他側のＲＪジャック２３に伝送する。信号はＲＪジャック２３と電気的に接続されたＲＪプラグ５１から外部に伝送される。信号の伝送時、信号が減衰し、伝送距離が遠いほど信号減衰の程度はひどくなるので、チップ２４によって信号の補償および増幅処理を行ない、伝送する信号の品質を高め、信号が減衰することによって再生される画像音声の品質が低下するのを防止し、安定した信号伝送を達成する。
【００２５】
また、電気モジュール２のチップ２４は、少なくとも一つ以上の発光部材２５と電気的に接続され、信号がチップ２４を通過するときに発光部材２５によって信号の伝送状態を表示する。透光材料によってケーシング１または蓋体１２を形成することによって、発光部材２５から放出された光を信号変換ボックスの外部に放出し、使用者に信号伝送状況を知らせ、また、故障または破損したとき、発光部材２４によって知らせて迅速な修理または交換を行なうことができる。
【００２６】
図２は、本考案の実施例を示す分解斜視図である。図６は本考案の他の実施例を示す分解斜視図である。図７は本考案の他の実施例の使用状態を示す模式図である。図から分かるように、信号変換ボックスの電気モジュール２は回路板２１上にＨＤＭＩジャック２２およびＲＪジャック２３を設置して、信号変換ボックスを実際に使用するとき、チップ２４、発光部材２５および電源コネクタ２６を有する他の信号変換ボックスを組合せて使用することによってチップ２４によって信号の補償および増幅処理を行なうことで伝送信号の品質を高めることができる。送信側と受信側とで二つ一組の信号変換ボックスを用いるがその内の一つにチップ２４、発光部材２５および電源コネクタ２６を設置すればよいので製品コストを低減できる。
【００２７】
信号変換ボックスを実際に使用するとき、二つ一組の信号変換ボックスと読取装置６と映像音声再生装置７とを電気的に接続して信号伝送を行う。読取装置６および信号変換ボックスにはＨＤＭＩケーブル４両端のＨＤＭＩプラグ４１が挿入され、二つの信号変換ボックスにはＲＪプラグ付きネットワークケーブル５両端のＲＪプラグ５１が挿入される。他の信号変換ボックスおよび映像音声再生装置７にはＨＤＭＩケーブル４両端のＨＤＭＩプラグ４１が挿入される。読取装置６のＨＤＭＩ信号は、信号変換ボックスを通じてＲＪプラグ付きネットワークケーブル５によって伝送され、他の信号変換ボックスが信号を受信した後、ＨＤＭＩケーブル４によってＨＤＭＩ信号が映像音声再生装置７に伝送され、再生が行われる。
【００２８】
展示場、広場または大きな会場でイベントを行なう場合、多くの場合、液晶ディスプレイ、プラズマディスプレイ、プロジェクタなどの大型のモニタおよび音響設備を用いて画像、映像または文字情報などが再生されるが、上述の映像音声再生装置７と読取装置６（ＶＣＤ再生装置、ＤＶＤ再生装置、プロジェクタまたはビデオ再生装置など）との距離が遠い場合、ＨＤＭＩ信号伝送は１０メートルを超えると減衰するので信号が減衰する。しかし、二つの信号変換ボックスを使用し、信号をＲＪプラグ付きネットワークケーブル５を使用して伝送するとＲＪプラグ付きネットワークケーブルの有効伝送距離は１００メートルに達するので、信号が減衰する問題を効果的に解決することができ、映像音声再生装置７が映像音声信号を再生するとき、良好な品質および効果を達成することができる。
【００２９】
また、ＲＪプラグ付きネットワークケーブル５の価格は、ＨＤＭＩケーブル４よりも安いので、ＲＪプラグ付きネットワークケーブル５を使用して長距離の信号伝送を行うことによって製品のコストを低減することができる。
【００３０】
イベントを行なう展示場、広場またはその他の会場は状況に応じて変化するものであり、主催者が会場を設定するとき、実際の地形および位置に応じて信号伝送ケーブルの敷設位置を変更する必要がある。本考案の信号変換ボックスは携帯に便利なので、信号変換ボックスを用いて信号伝送ケーブルの敷設距離を延長するとき、設備、通路またはその他の機材の位置を考慮する必要がないため便利であるだけでなく、信号伝送ケーブルの敷設作業を迅速に行うことができ、信号変換ボックスを通路に設置して、来場者に踏まれることがあっても、破損したり、信号が減衰したりする問題は発生しない。
【００３１】
図１は、本考案の実施例を示す斜視図である。図２は本考案の実施例を示す分解斜視図である。図から分かるように、ケーシング１のベース台１１はコ形とされて、ベース台１１の前後の側壁面には第１の開口１３および第２の開口１４が設けられ、ベース台１１の左右両側には上方に湾曲してねじ穴１６１を有する複数の定位部１６が設けられる。蓋体１２の左右両側は下方に湾曲してコ形を呈し、左右側壁には第３の開口１５および固定部材１８を挿入することができる複数の螺合孔１７が設けられる。ベース台１１と蓋体１２とを対応させ、蓋体１２上の複数の螺合孔１７から固定部材１８を挿入してベース台１１上の複数の定位部１６のねじ穴１６１に螺合してベース台１１と蓋体１２は固定される。固定部材１８はねじ、ピンまたはその他の固定機能を有する部材とすることができる。また、ケーシング１の蓋体１２は四辺から下方に側壁が設けられた形状とすることができ、前後側壁には第１の開口１３および第２の開口１４が設けられる。上述のケーシング１のベース台１１、蓋体１２は収容空間１０を形成して電気モジュール２が設置され、電気モジュール２のＨＤＭＩジャック２２、ＲＪジャック２３および電源コネクタ２６がケーシング１上の第１の開口１３、第２の開口１４および第３の開口１５に対応すればよく、その他の修飾および変更された構造も本考案の実用新案登録請求の範囲に含まれる。
【００３２】
本考案の信号変換ボックスは、ケーシング１の収容空間１０内に電気モジュール２が設けられ、電気モジュール２は回路板２１の一側に少なくとも一つ以上のＨＤＭＩジャック２２が設けられ、他側に少なくとも一つ以上のＲＪジャック２３が設けられ、ＨＤＭＩジャック２２およびＲＪジャック２３はケーシング１両側の第１の開口１３および第２の開口１４に対応し、読取装置６が信号を映像音声再生装置７に伝送して再生を行うとき、信号はＨＤＭＩケーブル４から信号変換ボックスのＨＤＭＩジャック２２に入力され、次にＲＪジャック２３およびＲＪジャック２３に電気的に接続されたＲＪプラグ付きネットワークケーブル５によって各信号変換ボックス間の信号伝送が行われ、伝送距離が増加した場合でも、信号は良好な品質および効果を保持することができ、また、携帯に便利で、会場に合わせて信号伝送ケーブルを敷設することができるという長所を有する。
【００３３】
上述の詳細な説明は本考案の実施例を示すものであり、本考案の範囲を制限するものではなく、本考案の明細書および図面内容の簡易な修飾および同等効果の変更は全て本考案の実用新案登録請求の範囲に含まれる。
【００３４】
上述の内容から本考案の信号変換ボックスを使用するとき、その効果および目的を確実に達成することができ、実用性を有する。
【図面の簡単な説明】
【００３５】
【図１】本考案の実施例を示す斜視図である。
【図２】本考案の実施例を示す分解斜視図である。
【図３】本考案の実施例を示す斜視図である。
【図４】本考案の実施例を示す断面図である。
【図５】本考案の実施例の使用状態を示す斜視図である。
【図６】本考案の他の実施例を示す分解斜視図である。
【図７】本考案の他の実施例の使用状態を示す模式図である。
【符号の説明】
【００３６】
１    ケーシング
１０  収容空間
１１  ベース台
１２  蓋体
１３  第１の開口
１４  第２の開口
１５  第３の開口
１６  定位部
１６１ねじ穴
１７  螺合孔
１８  固定部材
２    電気モジュール
２１  回路板
２２  ＨＤＭＩジャック
２３  ＲＪジャック
２４  チップ
２５  発光部材
２６  電源コネクタ
３    電源供給装置
３１  電源プラグ
４    ＨＤＭＩケーブル
４１  ＨＤＭＩプラグ
５    ＲＪプラグ付きネットワークケーブル
５１  ＲＪプラグ
６    読取装置
７    映像音声再生装置
【図１】
0003141444.tif 000003
【図２】
0003141444.tif 000004
【図３】
0003141444.tif 000005
【図４】
0003141444.tif 000006
【図５】
0003141444.tif 000007
【図６】
0003141444.tif 000008
【図７】
0003141444.tif 000009
【手続補正書】
【提出日】平成20年1月30日(2008.1.30)
【手続補正１】
【補正対象書類名】実用新案登録請求の範囲
【補正対象項目名】請求項１
【補正方法】変更
【補正の内容】
【請求項１】
ケーシングおよびＨＤＭＩ規格信号を受けて信号の補償および増幅処理を行う電気モジュールから構成され、  前記ケーシングは、ベース台および蓋体から構成され、前記ベース台と蓋体との間には電気モジュール収容空間が形成され、前記ケーシング一側にはＨＤＭＩ規格プラグが挿入される第１の開口が設けられ、他側にはＲＪプラグが挿入される第２の開口が設けられ、  前記電気モジュールには回路板が設けられ、前記回路板の一側には少なくとも一つ以上の前記ケーシングの第１の開口に対応するＨＤＭＩ規格ジャックが設けられ、他側には少なくとも一つ以上の前記ケーシングの第２の開口に対応するＲＪジャックが設けられることを特徴とする信号変換ボックス。
【手続補正２】
【補正対象書類名】明細書
【補正対象項目名】全文
【補正方法】変更
【補正の内容】
【考案の詳細な説明】
【技術分野】
【０００１】本考案は、信号変換ボックスに関し、特に、ＨＤＭＩ規格信号を変換し、信号をＲＪプラグ付きネットワークケーブルで伝送し、信号の品質および効果を高めるだけでなく、携帯に便利で、使用会場に合わせて信号伝送ケーブルの敷設位置を変更できる信号変換ボックスに関する。
【背景技術】
【０００２】ブラウン管を使用した白黒テレビおよびカラーテレビから現在は液晶テレビおよびプラズマテレビへと発展し、テレビは高画質、良好なコントラストおよび高い鮮明度で表示することができるようになり、テレビのチャンネル数も増加した。また、早期から録画装置を利用して放送番組を録画し、再生装置を利用して再生して観賞することが行われていたが、録画テープの体積は大きく、湿気によってカビが発生したりするので、現在は時代の流れから淘汰されている。【０００３】研究開発によってＶＣＤ、ＤＶＤなどのディスクが誕生した。ＶＣＤ、ＤＶＤは再生装置により映像を再生するが、ＶＣＤにしてもＤＶＤにしても伝送ケーブルによって映像信号をディスプレイ装置に伝送することによって映像を表示する。初期の映像信号の伝送ケーブルは、ＤＶＩ（Ｄｉｇｉｔａｌ  Ｖｉｄｅｏ  Ｉｎｔｅｒｌｅａｖｅｄ）が使用され、Ｉｎｔｅｌ  ｉ７５０  ＶＬＳＩ（登録商標）によって圧縮／解凍を行う演算法が実行された。ＤＶＩの伝送ケーブルは映像のみを伝送でき、音声は伝送できないので、アンプを組合せる必要があり、ケーブルの設置が面倒であり、不便であった。【０００４】上述の従来技術による信号伝送における欠点を解決するために、ＨＤＭＩ規格（Ｈｉｇｈ  Ｄｅｆｉｎｉｔｉｏｎ  Ｍｕｌｔｉｍｅｄｉａ  Ｉｎｔｅｒｆａｃｅ）の信号伝送方式が研究開発された。ＨＤＭＩ規格は、Ｉｎｔｅｌ社が２００２年に開発したコピー防止メカニズムであるＨＤＣＰ（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）が使用される。ＨＤＭＩ規格は、単一の全デジタルインターフェースに高解析映像信号および多チャンネル音声信号を整合し、ＳＸＧＡ、ＵＸＧＡ、ＳＤＴＶ、ＨＤＴＶなどのデジタル映像信号規格をサポートするだけでなく、ＣＤ、ＤＶＤ−Ａｕｄｉｏ、Ｄｏｌｂｙ  Ｄｉｇｉｔａｌ／ＤＴＳなどのデジタル音声信号規格を伝送することもでき、同時に８チャンネルの圧縮または非圧縮デジタル音声信号を伝送することができる。ＨＤＭＩ規格は、各原色が最高で４８‐ｂｉｔの色深度を提供でき、その伝送速度は５Ｇｂｐｓに達し、圧縮していない高品質のデジタル信号を伝送することができる。【０００５】情報社会となり、展覧会、説明会またはその他の各種のイベントが行なわれているが、一般にこれらのイベントにおいては音声出力装置および大型モニタが使用され、それによる映像音声効果によって来場者を引き付け、また優れた広告効果を有するので多くのユーザーに支持されている。ＨＤＭＩ規格ケーブルを使用して信号伝送を行う場合、信号伝送ケーブルおよび設置時間を節約でき、また、映像音声再生の効果が優れるが、ＨＤＭＩ規格ケーブルは伝送距離が１０メートルを超える場合信号が減衰し、通常の展示会または説明会などのイベント会場においては再生装置とモニタおよび音声出力装置との距離は１０メートル以上であるために信号が減衰し、映像音声の再生効果が優れないという問題が発生する。【０００６】従って、再生装置とモニタとの間をＨＤＭＩ規格ケーブルで信号伝送を行うときに信号が減衰する問題を如何に解決するかは当該技術に従事する者にとって改善が望まれることであった。【０００７】本考案の考案者は、上述の問題に鑑み、関連資料を収集し、試作および修正を繰り返し、ついに信号伝送時の品質および効果を高め、携帯に便利であり、現場の状況に応じて信号伝送ケーブルの設置位置を変更できる信号変換ボックスを案出した。【特許文献１】特開２００７−２２１７５１号公報
【特許文献２】特開２００５−７３２２０号公報
【考案の開示】
【考案が解決しようとする課題】
【０００８】本考案の第１の目的は、ケーシングの一側にＨＤＭＩ規格プラグが挿入される第１の開口が設けられ、他側にはＲＪプラグが挿入される第２の開口が設けられ、ケーシングの収容空間内にはＨＤＭＩ規格信号を受けて信号の補償および増幅処理を行う電気モジュールが設けられ、電気モジュールの回路板には第１の開口および第２の開口に対応するＨＤＭＩ規格ジャックおよびＲＪジャックが設けられた信号変換ボックスを構成し、ＨＤＭＩ規格信号が信号変換ボックスに入力されて変換された後、ＲＪプラグ付きネットワークケーブルによって信号伝送を行うことにより、ＲＪプラグ付きネットワークケーブルの信号伝送距離はＨＤＭＩ規格ケーブルよりも長いので、信号を長距離伝送したときでも減衰しにくく、信号の品質および効果を高めることができる信号変換ボックスを提供することにある。本考案の第２の目的は、展示場、広場またはその他の場所でイベントを行なうとき、イベント場所によって広さ、地形および位置などの条件が異なるが、信号変換ボックスを使用して信号伝送ケーブルを敷設することによって、信号伝送距離を延長できるだけでなく、各イベント場所の広さ、地形および位置などに対応させて敷設位置を変更することができ、信号伝送ケーブルの敷設作業を迅速且つ簡単に行うことを可能とする、体積が小さく、携帯に便利な信号変換ボックスを提供することにある。
【課題を解決するための手段】
【０００９】上記課題を解決するために、請求項１の考案は、ケーシングおよび電気モジュールから構成され、ケーシングはベース台および蓋体から構成され、ベース台と蓋体との間には収容空間が形成され、ケーシング一側にはＨＤＭＩ規格プラグが挿入される第１の開口が設けられ、他側にはＲＪプラグが挿入される第２の開口が設けられ、電気モジュールにはケーシングの収容空間内に設置される回路板が設けられ、回路板の一側には少なくとも一つ以上のケーシングの第１の開口に対応するＨＤＭＩ規格ジャックが設けられ、他側には少なくとも一つ以上のケーシングの第２の開口に対応するＲＪジャックが設けられることを特徴とする信号変換ボックスである。【００１０】  請求項２の考案は、ケーシングは、透光材料から製造されることを特徴とする請求項１記載の信号変換ボックスである。【００１１】  請求項３の考案は、ケーシングの蓋体は、透光材料から製造されることを特徴とする請求項１記載の信号変換ボックスである。【００１２】  請求項４の考案は、ケーシングのベース台と蓋体との間に収容される回路板上には、少なくとも一つ以上の信号の補償および増幅処理を行なうチップが設けられることを特徴とする請求項１記載の信号変換ボックスである。【００１３】  請求項５の考案は、回路板のチップには、少なくとも一つ以上の信号の伝送状態を表示する発光部材が設けられることを特徴とする請求項４記載の信号変換ボックスである。【００１４】  請求項６の考案は、ケーシングの側壁上には、予め設けられた電源プラグが挿入される第３の開口が設けられ、回路板のチップには電気モジュールの運転に必要な電源を供給し、第３の開口に対応する電源コネクタが電気的に接続されることを特徴とする請求項４記載の信号変換ボックスである。【００１５】  請求項７の考案は、ケーシングのベース台には、ねじ穴を有する複数の定位部が設けられ、ケーシングの蓋体にはねじ穴に対応する螺合孔が設けられ、螺合孔内にはねじ穴に螺合固定される固定部材が貫設されることを特徴とする請求項１記載の信号変換ボックスである。【００１６】  請求項８の考案は、ケーシングの前後側壁には、第１の開口および第２の開口がそれぞれ設けられることを特徴とする請求項１記載の信号変換ボックスである。
【考案の効果】
【００１７】本考案の信号変換ボックスは、ケーシングの収容空間内に電気モジュールが設けられ、電気モジュールは回路板の一側に少なくとも一つ以上のＨＤＭＩ規格ジャックが設けられ、他側に少なくとも一つ以上のＲＪジャックが設けられ、ＨＤＭＩ規格ジャックおよびＲＪジャックはケーシング両側の第１の開口および第２の開口に対応し、読取装置が信号を映像音声再生装置に伝送して再生を行うとき、信号はＨＤＭＩ規格ケーブルから信号変換ボックスのＨＤＭＩ規格ジャックに入力され、次にＲＪジャックおよびＲＪジャックに電気的に接続されたＲＪプラグ付きネットワークケーブルによって各信号変換ボックス間の信号伝送が行われ、伝送距離が長くなった場合でも、信号は良好な品質および効果を保持することができ、また、携帯に便利で、会場に合わせて信号伝送ケーブルを敷設することができるという長所を有する。
【考案を実施するための最良の形態】
【００１８】本考案の目的、特徴および効果を示す実施例を図に沿って詳細に説明する。【００１９】図１は、本考案の実施例を示す斜視図である。図２は、本考案の実施例を示す分解斜視図である。図３は、本考案の実施例を示す斜視図である。図４は、本考案の実施例を示す断面図である。図から分かるように、本考案の信号変換ボックスは、ケーシング１および電気モジュール２から構成される。【００２０】ケーシング１は、ベース台１１および蓋体１２から構成され、ベース台１１と蓋体１２との間には収容空間１０が形成され、ケーシング１の一側には第１の開口１３が設けられ、他側には第２の開口１４が設けられ、ケーシング１の側壁には第３の開口１５が設けられる。【００２１】電気モジュール２の回路板２１の一側には少なくとも一つ以上のＨＤＭＩ規格ジャック２２が設けられ、他側には少なくとも一つのＲＪジャック２３が設けられ、回路板２１上には、少なくとも一つ以上のチップ２４、チップ２４と電気的に接続される発光部材２５および電源コネクタ２６が設けられ、電源コネクタ２６は回路板２１の側辺に設置される。【００２２】上述の各部材を組立てるとき、ケーシング１に設けられたベース台１１と蓋体１２との間の収容空間１０内に電気モジュール２を設置し、電気モジュール２のＨＤＭＩ規格ジャック２２、少なくとも一つ以上のＲＪジャック２３および電源コネクタ２６をそれぞれケーシング１の第１の開口１３、第２の開口１４および第３の開口１５に対応させ、ベース台１１と蓋体１２とを固定して組立が完成する。【００２３】図２は、本考案の実施例を示す分解斜視図である。図５は、本考案の実施例の使用状態を示す斜視図である。図から分かるように、信号変換ボックスを使用するとき、電源供給装置３の電源プラグ３１をケーシング１の第３の開口１５から挿入し、電源プラグ３１と電気モジュール２の電源コネクタ２６とを電気的に接続し、電源供給装置３によって一般のコンセントからの電力を所定の電圧に変換し、電気モジュール２の作動に必要な電源を供給する。次に、ＨＤＭＩ規格ケーブル４のＨＤＭＩ規格プラグ４１をケーシング１の第１の開口１３に挿入し、ＲＪプラグ付きネットワークケーブル５のＲＪプラグ５１をケーシング１の第２の開口１４に挿入し、第１の開口１３内のＨＤＭＩ規格ジャック２２と第２の開口１４内の少なくとも一つ以上のＲＪジャック２３とを電気的に接続する。【００２４】ＨＤＭＩ規格プラグ４１は、信号を電気モジュール２のＨＤＭＩ規格ジャック２２に伝送し、ＨＤＭＩ規格ジャック２２は信号を受信した後、信号を少なくとも一つ以上のチップ２４に伝送する。チップ２４は、信号の補償および増幅処理を行ない、その後、信号を電気モジュール２の他側のＲＪジャック２３に伝送する。信号はＲＪジャック２３と電気的に接続されたＲＪプラグ５１から外部に伝送される。信号の伝送時、信号が減衰し、伝送距離が遠いほど信号減衰の程度はひどくなるので、チップ２４によって信号の補償および増幅処理を行ない、伝送する信号の品質を高め、信号が減衰することによって再生される画像音声の品質が低下するのを防止し、安定した信号伝送を達成する。【００２５】また、電気モジュール２のチップ２４は、少なくとも一つ以上の発光部材２５と電気的に接続され、信号がチップ２４を通過するときに発光部材２５によって信号の伝送状態を表示する。透光材料によってケーシング１または蓋体１２を形成することによって、発光部材２５から放出された光を信号変換ボックスの外部に放出し、使用者に信号伝送状況を知らせ、また、故障または破損したとき、発光部材２４によって知らせて迅速な修理または交換を行なうことができる。【００２６】図２は、本考案の実施例を示す分解斜視図である。図６は本考案の他の実施例を示す分解斜視図である。図７は本考案の他の実施例の使用状態を示す模式図である。図から分かるように、信号変換ボックスの電気モジュール２は回路板２１上にＨＤＭＩ規格ジャック２２およびＲＪジャック２３を設置して、信号変換ボックスを実際に使用するとき、チップ２４、発光部材２５および電源コネクタ２６を有する他の信号変換ボックスを組合せて使用することによってチップ２４によって信号の補償および増幅処理を行なうことで伝送信号の品質を高めることができる。送信側と受信側とで二つ一組の信号変換ボックスを用いるがその内の一つにチップ２４、発光部材２５および電源コネクタ２６を設置すればよいので製品コストを低減できる。【００２７】信号変換ボックスを実際に使用するとき、二つ一組の信号変換ボックスと読取装置６と映像音声再生装置７とを電気的に接続して信号伝送を行う。読取装置６および信号変換ボックスにはＨＤＭＩ規格ケーブル４両端のＨＤＭＩ規格プラグ４１が挿入され、二つの信号変換ボックスにはＲＪプラグ付きネットワークケーブル５両端のＲＪプラグ５１が挿入される。他の信号変換ボックスおよび映像音声再生装置７にはＨＤＭＩ規格ケーブル４両端のＨＤＭＩ規格プラグ４１が挿入される。読取装置６のＨＤＭＩ規格信号は、信号変換ボックスを通じてＲＪプラグ付きネットワークケーブル５によって伝送され、他の信号変換ボックスが信号を受信した後、ＨＤＭＩ規格ケーブル４によってＨＤＭＩ規格信号が映像音声再生装置７に伝送され、再生が行われる。【００２８】展示場、広場または大きな会場でイベントを行なう場合、多くの場合、液晶ディスプレイ、プラズマディスプレイ、プロジェクタなどの大型のモニタおよび音響設備を用いて画像、映像または文字情報などが再生されるが、上述の映像音声再生装置７と読取装置６（ＶＣＤ再生装置、ＤＶＤ再生装置、プロジェクタまたはビデオ再生装置など）との距離が遠い場合、ＨＤＭＩ規格信号伝送は１０メートルを超えると減衰するので信号が減衰する。しかし、二つの信号変換ボックスを使用し、信号をＲＪプラグ付きネットワークケーブル５を使用して伝送するとＲＪプラグ付きネットワークケーブルの有効伝送距離は１００メートルに達するので、信号が減衰する問題を効果的に解決することができ、映像音声再生装置７が映像音声信号を再生するとき、良好な品質および効果を達成することができる。【００２９】また、ＲＪプラグ付きネットワークケーブル５の価格は、ＨＤＭＩ規格ケーブル４よりも安いので、ＲＪプラグ付きネットワークケーブル５を使用して長距離の信号伝送を行うことによって製品のコストを低減することができる。【００３０】イベントを行なう展示場、広場またはその他の会場は状況に応じて変化するものであり、主催者が会場を設定するとき、実際の地形および位置に応じて信号伝送ケーブルの敷設位置を変更する必要がある。本考案の信号変換ボックスは携帯に便利なので、信号変換ボックスを用いて信号伝送ケーブルの敷設距離を延長するとき、設備、通路またはその他の機材の位置を考慮する必要がないため便利であるだけでなく、信号伝送ケーブルの敷設作業を迅速に行うことができ、信号変換ボックスを通路に設置して、来場者に踏まれることがあっても、破損したり、信号が減衰したりする問題は発生しない。【００３１】図１は、本考案の実施例を示す斜視図である。図２は本考案の実施例を示す分解斜視図である。図から分かるように、ケーシング１のベース台１１はコ形とされて、ベース台１１の前後の側壁面には第１の開口１３および第２の開口１４が設けられ、ベース台１１の左右両側には上方に湾曲してねじ穴１６１を有する複数の定位部１６が設けられる。蓋体１２の左右両側は下方に湾曲してコ形を呈し、左右側壁には第３の開口１５および固定部材１８を挿入することができる複数の螺合孔１７が設けられる。ベース台１１と蓋体１２とを対応させ、蓋体１２上の複数の螺合孔１７から固定部材１８を挿入してベース台１１上の複数の定位部１６のねじ穴１６１に螺合してベース台１１と蓋体１２は固定される。固定部材１８はねじ、ピンまたはその他の固定機能を有する部材とすることができる。また、ケーシング１の蓋体１２は四辺から下方に側壁が設けられた形状とすることができ、前後側壁には第１の開口１３および第２の開口１４が設けられる。上述のケーシング１のベース台１１、蓋体１２は収容空間１０を形成して電気モジュール２が設置され、電気モジュール２のＨＤＭＩ規格ジャック２２、ＲＪジャック２３および電源コネクタ２６がケーシング１上の第１の開口１３、第２の開口１４および第３の開口１５に対応すればよく、その他の修飾および変更された構造も本考案の実用新案登録請求の範囲に含まれる。【００３２】本考案の信号変換ボックスは、ケーシング１の収容空間１０内に電気モジュール２が設けられ、電気モジュール２は回路板２１の一側に少なくとも一つ以上のＨＤＭＩ規格ジャック２２が設けられ、他側に少なくとも一つ以上のＲＪジャック２３が設けられ、ＨＤＭＩ規格ジャック２２およびＲＪジャック２３はケーシング１両側の第１の開口１３および第２の開口１４に対応し、読取装置６が信号を映像音声再生装置７に伝送して再生を行うとき、信号はＨＤＭＩ規格ケーブル４から信号変換ボックスのＨＤＭＩ規格ジャック２２に入力され、次にＲＪジャック２３およびＲＪジャック２３に電気的に接続されたＲＪプラグ付きネットワークケーブル５によって各信号変換ボックス間の信号伝送が行われ、伝送距離が増加した場合でも、信号は良好な品質および効果を保持することができ、また、携帯に便利で、会場に合わせて信号伝送ケーブルを敷設することができるという長所を有する。【００３３】上述の詳細な説明は本考案の実施例を示すものであり、本考案の範囲を制限するものではなく、本考案の明細書および図面内容の簡易な修飾および同等効果の変更は全て本考案の実用新案登録請求の範囲に含まれる。【００３４】上述の内容から本考案の信号変換ボックスを使用するとき、その効果および目的を確実に達成することができ、実用性を有する。
【図面の簡単な説明】
【００３５】
【図１】本考案の実施例を示す斜視図である。
【図２】本考案の実施例を示す分解斜視図である。
【図３】本考案の実施例を示す斜視図である。
【図４】本考案の実施例を示す断面図である。
【図５】本考案の実施例の使用状態を示す斜視図である。
【図６】本考案の他の実施例を示す分解斜視図である。
【図７】本考案の他の実施例の使用状態を示す模式図である。
【符号の説明】
【００３６】１    ケーシング１０  収容空間１１  ベース台１２  蓋体１３  第１の開口１４  第２の開口１５  第３の開口１６  定位部１６１ねじ穴１７  螺合孔１８  固定部材２    電気モジュール２１  回路板２２  ＨＤＭＩ規格ジャック２３  ＲＪジャック２４  チップ２５  発光部材２６  電源コネクタ３    電源供給装置３１  電源プラグ４    ＨＤＭＩ規格ケーブル４１  ＨＤＭＩ規格プラグ５    ＲＪプラグ付きネットワークケーブル５１  ＲＪプラグ６    読取装置７    映像音声再生装置